(57)【特許請求の範囲】
【請求項１】
マクロコンバージョンレンズを装着し得る撮影レンズ系と、
この撮影レンズ系の一部を構成し、被写体像を撮像素子の撮像面上に結像させるフォーカスレンズ群と、
少なくとも通常撮影モードとマクロ撮影モードとの二つの撮影モードを選択する選択手段と、
コントラスト検出方式に基づいて焦点位置を検出する焦点検出手段と、
上記焦点位置を検出するための焦点検出手段によって検出された焦点位置に、上記フォーカスレンズ群を移動させる移動制御手段と、
を備え、
上記移動制御手段は、少なくともマクロコンバージョンレンズの非装着時には、上記フォーカスレンズ群が移動し得る全移動範囲のうち上記選択手段によって選択された撮影モードに応じて設定される所定の移動範囲内において上記フォーカスレンズ群を移動させるよう制御し、マクロコンバージョンレンズの装着時には、上記選択手段によって選択された撮影モードに関わらず上記フォーカスレンズ群の全移動範囲内において上記フォーカスレンズ群を移動させるよう制御することを特徴とする電子カメラ。
【請求項２】
マクロコンバージョンレンズの装着状態を自動的に検知する検知手段を、さらに備え、
マクロコンバージョンレンズが上記撮影レンズ系に装着されたことが、上記検知手段によって検知された場合には、上記移動制御手段は、上記フォーカスレンズ群の移動範囲を、このフォーカスレンズ群の全移動範囲となるよう設定することを特徴とする請求項１に記載の電子カメラ。
【発明の詳細な説明】
【０００１】
【発明の属する技術分野】
この発明は、電子カメラ、詳しくは撮影レンズ系に対して少なくともマクロコンバージョンレンズを装着し得るように構成された電子カメラにおいて、マクロコンバージョンレンズの装着時における撮影レンズ系の一部を構成するフォーカスレンズ群の移動制御に関するものである。
【０００２】
【従来の技術】
従来より、撮影レンズ系によって結像された被写体像を撮像素子を用いて電気信号に光電変換し、その画像信号を静止画像データ又は動画像データとして記録媒体等に記録するように構成された、いわゆる電子スチルカメラやビデオカメラ等（以下、電子カメラ等という）においては、撮影レンズ系の外部、例えば先端部に装着することで、その装置に固定された撮影レンズ系によって規定される焦点距離を異なる焦点距離に変換する等、同撮影レンズ系の光学的な拡張機能を実現し得る、いわゆるコンバージョンレンズが一般的に実用化されている。
【０００３】
このコンバージョンレンズには、例えば撮影画角を拡げ、より広い撮影範囲を確保し得る広角系のワイドコンバージョンレンズや、より大きな撮影倍率を確保し、所望の被写体像を拡大し得る望遠系のテレコンバージョンレンズ、装置に固設された撮影レンズ系によって撮影し得る最至近側の被写体までの距離（以下、最短撮影距離という）を短縮する接写系の、いわゆるマクロコンバージョンレンズ等がある。
【０００４】
このようなコンバージョンレンズのうちマクロコンバージョンレンズは、これを電子カメラ等の撮影光学系に装着すると、通常の場合、そのマクロコンバージョンレンズを含む撮影レンズ系によって結像し得る範囲、即ち最短撮影距離から最遠側の撮影距離までの間の領域は、狭くなる傾向があるという光学的特性を有している。
【０００５】
より具体的に説明すると、例えば電子カメラ等に設けられる撮影レンズ系において、最短撮影距離＝３０ｃｍから最遠側の撮影距離＝無限遠までの領域で所望の被写体に合焦させ撮影を行なうことができるように設定されている撮影レンズ系に対して、マクロコンバージョンレンズを装着すると、このマクロコンバージョンレンズを含んでなる撮影レンズ系全体によって所望の被写体に合焦させ撮影し得る領域が、例えば最短撮影距離＝２０ｃｍ前後から最遠側の撮影距離＝３５ｃｍ前後となるのが普通である。
【０００６】
このように、マクロコンバージョンレンズを装着するとマクロ領域における最短撮影距離を短縮し、より高倍率の近接撮影が可能となる。
【０００７】
一方、従来の電子カメラ等においては、自動焦点調節手段（以下、ＡＦ手段という）を備えてなるものが一般的に実用化されているが、このＡＦ手段としては、いわゆるコントラスト検出方式のものが一般的に広く利用されている。
【０００８】
一般的なコントラスト検出方式のＡＦ手段は、撮影レンズ系の一部を構成するフォーカスレンズ群を移動させながら、所定の複数のレンズ位置において、撮像素子により取得された画像信号に含まれる高周波成分の抽出を行ない、この高周波成分の量を比較することによって合焦位置を検出するというものである。
【０００９】
この方式によれば、撮像素子を利用して合焦位置の検出を行なっているため、合焦位置の検出動作又は測距動作等を行なしめるための測距センサ等の構成部材を不要とすることができると共に、合焦検出精度も極めて高精度なものとすることが容易に可能であるという利点がある。しかし、その反面、例えば一般的な三角測量方式等を用いた合焦検出手段（測距手段）に比べて、焦点検出動作のために要する時間が長くなる傾向があるという問題点を有している。
【００１０】
即ち、コントラスト検出方式のＡＦ手段を採用した電子カメラ等における焦点検出動作（ＡＦ動作）を伴った撮影動作としては、次のような一連の動作が実行されるのが普通である。
【００１１】
まず、撮影動作を開始させるためのレリーズ信号が、撮影者のレリーズＳＷ等の操作手段の操作によって発生する。これにより撮影動作が開始されることとなる。このレリーズ信号を受けて、まず焦点検出動作が開始されるが、この焦点検出動作は、フォーカスレンズ群の駆動を行ないながら行われるため、多少の時間を要する。そして、この焦点検出動作の結果に基づいてフォーカスレンズ群を駆動し、所定の合焦位置にこれを移動させた後、実際のレリーズ処理（撮影処理）がなされる。
【００１２】
したがって、この場合には、撮影者がレリーズＳＷを操作した時点（レリーズ信号の発生時）から撮影完了（レリーズ処理の完了時）までに所定の時間が必要となることは明らかであり、これによってシャッタレリーズ時のタイムラグが大きくなってしまうという問題がある。
【００１３】
そこで、このような問題を解消するために、以下のような手段が利用されている。即ち、通常の撮影距離にある被写体に対して合焦させ撮影する通常撮影モードと、至近側の撮影距離（マクロ領域）にある被写体に対して合焦させ撮影を行なうマクロ撮影モード等の複数の撮影モードを設け、撮影を行なうに際して撮影者は、所望の被写体までの距離に応じた撮影モードを選択するように構成する。そして、各撮影モード毎にフォーカスレンズ群の移動範囲が、それぞれ所定の範囲となるように設定されている。したがってレリーズ信号が発生すると、フォーカスレンズ群は、選択された撮影モードに応じた所定の範囲内のみを移動して焦点検出動作を行なうようになる。
【００１４】
このように構成すれば、焦点検出動作に伴って行われるフォーカスレンズ群の移動量を少なくすることができるので、焦点検出動作に要する時間を短縮することができ、よってシャッタレリーズ時に生じるタイムラグを小さくすることができるというものである。
【００１５】
このような手段を用いた電子カメラとしては、例えば特開平２−１２２１３号公報等によって種々の提案が行われ、また一般的に実用化がなされている。
上記特開平２−１２２１３号公報に開示されている電子カメラは、マクロ撮影モードと通常撮影モードとを有し、各撮影モード時において、フォーカスレンズ群は、異なる所定の移動範囲で移動することで、焦点検出動作を行なうようにしている。
【００１６】
そして、マクロ撮影モード時における焦点検出範囲（フォーカスレンズ群の移動範囲）の最遠側の位置と、通常撮影モード時における焦点検出範囲（同上）の最至近側の位置とを互いに重なり合うような設定とすることで、操作者による撮影モードの選択に誤差等が生じた場合にも、焦点検出動作を支障なく実行し得るように制御がなされるというものである。
【００１７】
【発明が解決しようとする課題】
ところが、撮影者が選択した撮影モードによってフォーカスレンズ群の移動範囲を所定の範囲内に設定するようにした従来の電子カメラ等において、その撮影レンズ系に、例えばマクロコンバージョンレンズを装着した場合、以下に示されるような問題が生じる場合がある。
【００１８】
図３は、従来の電子カメラ等における焦点検出動作時のフォーカスレンズ群の移動範囲と撮影距離（所望の被写体までの距離）との関係を示す概念図である。
【００１９】
通常の場合、電子カメラ等に使用される撮影レンズ系におけるフォーカスレンズ群９ａの物理的な移動量は、遠距離側の領域にある被写体に合焦させる場合に比べて、至近距離側の領域にある被写体に合焦させる場合の方が大きくなる傾向にあるという光学的な特性を有している。
【００２０】
このことを考慮して、従来の電子カメラ等において複数の撮影モードを設定したときには、例えば通常撮影モード時の移動範囲を被写体距離＝無限遠〜６０ｃｍ、マクロ撮影モード時の移動範囲を被写体距離＝６０ｃｍ〜３０ｃｍ等のように設定されるのが普通である（図３のコンバージョンレンズ非装着時の状態を参照）。このような設定とすれば、フォーカスレンズ群９ａの物理的な移動量は、両撮影モードにおいて略同等に設定されることとなる。しかし、この場合には、マクロ撮影モード時の撮影範囲が極めて狭い範囲のものとなる。
【００２１】
このような撮影レンズ系に対してマクロコンバージョンレンズを装着した場合、同マクロコンバージョンレンズを含む撮影レンズ系によって撮影し得る領域が最遠側の被写体距離＝３５ｃｍ〜最短撮影距離＝１６ｃｍとなるように設定されるとすると、選択された撮影モードによって、フォーカスレンズ群９ａの移動範囲は、次のようになる。
【００２２】
即ち、通常撮影モードが選択された場合のフォーカスレンズ群９ａの移動範囲は、被写体距離＝３５ｃｍ〜２２ｃｍの領域が対応し、またマクロ撮影モードが選択された場合のフォーカスレンズ群９ａの移動範囲は、被写体距離＝２２ｃｍ〜１６ｃｍの領域が対応する（図３のコンバージョンレンズ装着時の状態を参照）。
【００２３】
したがって、マクロ領域における極めて狭い撮影領域（３５ｃｍ〜１６ｃｍ）、での撮影を行なう場合であってもモード切換操作を行なう必要が生じてしまうこととなり、その操作性は、著しく低下してしまう。
【００２４】
また、撮影し得る撮影領域が狭いことから、被写体距離に応じた撮影モードの切り換え点を明確にすることが困難であり、焦点検出動作の検出結果に誤差が生じ易くなるという問題もある。このような問題は、上記特開平２−１２２１３号公報に開示されている手段を用いた場合にも解消することは容易ではない。
【００２５】
本発明は、上述した点に鑑みてなされたものであって、その目的とするところは、マクロコンバージョンレンズを装着して使用する場合においても、操作性を損なうことなく簡単にマクロ領域における撮影動作を実行することのできる電子カメラを提供するにある。
【００２６】
【課題を解決するための手段】
上記目的を達成するために、第１の発明による電子カメラは、マクロコンバージョンレンズを装着し得る撮影レンズ系と、この撮影レンズ系の一部を構成し、被写体像を撮像素子の撮像面上に結像させるフォーカスレンズ群と、少なくとも通常撮影モードとマクロ撮影モードとの二つの撮影モードを選択する選択手段と、コントラスト検出方式に基づいて焦点位置を検出する焦点検出手段と、上記焦点位置を検出するための焦点検出手段によって検出された焦点位置に、上記フォーカスレンズ群を移動させる移動制御手段と、を備え、上記移動制御手段は、少なくともマクロコンバージョンレンズの非装着時には、上記フォーカスレンズ群が移動し得る全移動範囲のうち上記選択手段によって選択された撮影モードに応じて設定される所定の移動範囲内において上記フォーカスレンズ群を移動させるよう制御し、マクロコンバージョンレンズの装着時には、上記選択手段によって選択された撮影モードに関わらず上記フォーカスレンズ群の全移動範囲内において上記フォーカスレンズ群を移動させるよう制御することを特徴とする。
【００２７】
また、第２の発明は、上記第１の発明によるカメラにおいて、マクロコンバージョンレンズの装着状態を自動的に検知する検知手段を、さらに備え、マクロコンバージョンレンズが上記撮影レンズ系に装着されたことが、上記検知手段によって検知された場合には、上記移動制御手段は、上記フォーカスレンズ群の移動範囲を、このフォーカスレンズ群の全移動範囲となるよう設定することを特徴とする。
【００２８】
【発明の実施の形態】
以下、図示の実施の形態によって本発明を説明する。
図１は、本発明の一実施形態の電子カメラの内部構成を示すブロック構成図である。
【００２９】
本電子カメラ１は、図１に示すように被写体光束を集光し、被写体像を結像し得る撮影レンズ系９と、この撮影レンズ系９によって結像される被写体像を電気的な信号に光電変換するＣＣＤ等の撮像素子等によって構成されるイメージャ８と、このイメージャ８によって変換された画像信号に対して所定の画像処理（前処理）等を予め施す撮像回路１０と、この撮像回路１０から出力される画像信号（アナログ信号）をデジタル信号に変換するＡ／Ｄ変換回路１１と、デジタル信号化された画像信号を一時的に記憶するＤＲＡＭ等からなるバッファメモリ等のメモリ１２と、このメモリ１２に記憶されているデジタル画像信号を、例えばＬＣＤモニタ１４に表示するのに最適な形態のアナログ信号に変換するＤ／Ａ変換回路１３と、画像等を表示する画像表示装置としてのＬＣＤモニタ１４と、メモリ１２に記憶されているデジタル画像信号を記録媒体であるメモリカード１６に記録し得る形態にデータ処理・圧縮処理等を施すと共に、メモリカード１６に圧縮された状態で記録されている複数の画像データに対して各種の画像処理を施し得る形態の信号となるように伸長処理を施す画像信号用の圧縮伸長回路１５と、メモリカード１６を装着するための装着部及びカードＩ／Ｆ（電気回路）等からなるメモリカードスロット１７と、本電子カメラ１の全体を制御する制御手段であるシステムコントローラ２１と、撮影レンズ系９の一部を構成し、被写体像をイメージャ８の撮像面上に結像させるフォーカスレンズ群９ａを光軸方向に移動させて合焦動作を行なわしめるＡＦモータ２０と、このＡＦモータ２０の駆動を制御するＡＦモータ制御回路１９と、イメージャ８の撮像面上に結像された被写体像の焦点検出を行なう焦点検出手段である合焦回路１８と、システムコントローラ２１に対して各種の入力信号を入力させる複数の入力スイッチ群２２等によって構成されている。
【００３０】
上記入力スイッチ群２２を構成する各スイッチには、例えば通常撮影モードやマクロ撮影モード等の撮影モードを切り換える指令信号を発生させ、所望の撮影モードを選択するための撮影モード切換ＳＷ２３と、焦点検出動作（ＡＦ動作）及びシャッタレリーズ動作等の一連の撮影動作を開始させる指令信号を発生させるレリーズＳＷ２４等がある。
【００３１】
上記システムコントローラ２１は、焦点検出手段である合焦回路１８によって検出された焦点位置情報に基づいて、ＡＦモータ制御回路１９を制御し、このＡＦモータ制御回路１９は、ＡＦモータ２０の駆動を制御してフォーカスレンズ群９ａを移動させるようになっている。つまり、これら各構成部材は、フォーカスレンズ群９ａを所定の位置に移動させる移動制御手段を構成している。
【００３２】
そして、本電子カメラ１の撮影レンズ系９には、各種のコンバージョンレンズのうち少なくともマクロコンバージョンレンズ（以下、ＭＣレンズという）２が装着されているか否か、即ちＭＣレンズ２の装着状態を検知する検知手段の一部を構成する二つの固定接点９ｃが配設されていて、この二つの固定接点９ｃは、システムコントローラ２１に電気的に接続されている。
【００３３】
また、上記撮影レンズ系９には、その先端部にＭＣレンズ２の装着部（図示せず）が形成されており、外部、例えば前面側等からＭＣレンズ２を装着することができるようになっている。この装着部としては、例えばマウント手段等によって形成され、ＭＣレンズ２に対応した専用の連結部材等が設けられている。
【００３４】
一方、ＭＣレンズ２には、その後端部に撮影レンズ系９の装着部と連結し得る被装着部（図示せず）が設けられていて、この被装着部には、撮影レンズ系９側の二つの固定接点９ｃに対応する二つの接点２ｃが配設されている。そして、撮影レンズ系９に対してＭＣレンズ２を装着した状態となったときに、両接点２ｃ・９ｃは、互いに接触する位置にそれぞれ配置されている。
【００３５】
また、上記二つの接点２ｃの間には、固有の抵抗値を有するセンサ部材としての抵抗２ｂが接続されている。この抵抗２ｂは、コンバージョンレンズの種類によって固有の抵抗値を有するようになっているものである。つまり、電子カメラ１側のシステムコントローラ２１が、抵抗２ｂの抵抗値を検出することによって、撮影レンズ系９に装着されたコンバージョンレンズの種類を検知し、本電子カメラ１においては、少なくとも装着されたコンバージョンレンズがＭＣレンズ２であるか否かを検知することができるようになっている。
【００３６】
このように構成された上記電子カメラ１の作用を、以下に説明する。
本電子カメラ１において焦点検出動作（ＡＦ動作）が行われる際の一連の処理は、以下に示す通りである。
【００３７】
本電子カメラ１は、コントラスト検出方式のＡＦ手段を用いている。この電子カメラ１の電源スイッチ（図示せず）がオン状態とされると、カメラ１内の各構成部材に給電がなされ、撮影動作を開始し得る状態、即ち撮影モードとなる。この状態においてレリーズＳＷ２４等が操作されると、撮影動作を行なうための指令信号が生じる。これを受けてシステムコントローラ２１は、まずＡＦ動作を行なうための制御を開始する。
【００３８】
システムコントローラ２１は、ＡＦモータ制御回路１９を介してＡＦモータ２０を制御し、フォーカスレンズ群９ａを所定の基準位置に配置する。そして、この状態における焦点検出動作、つまり合焦状態についてのデータを取得する。
【００３９】
ここで行われる動作をさらに詳しく説明する。
撮影レンズ系９を透過しイメージャ８の撮像面上に照射される被写体像を表わす光束は、同イメージャ８によって所定の光電変換がなされて画像信号が生成される。この画像信号は、撮像回路１０・Ａ／Ｄ変換回路１１を経て、メモリ１２及び合焦回路１８に送られる。
【００４０】
次に、合焦回路１８は、デジタル信号に変換処理された画像信号から、例えば画像の略中央部近傍の所定の一部分の輝度データを抽出し、この輝度データからハイパスフィルタ等（図示せず）を用いて高周波成分を取り出す。この高周波成分に関するデータは、ＡＦ評価値としてシステムコントローラ２１に出力される。そして、システムコントローラ２１では、このＡＦ評価値のデータを内部のレジスタ部等に一時的に記憶する。
【００４１】
続けて、フォーカスレンズ群９ａを光軸方向に所定量だけ移動させて、同様の処理を繰り返す。このようにして収集した複数のＡＦ評価値を比較し、そのピーク値（最大値）を有するデータを検出する。これが合焦位置のデータとなる。
【００４２】
システムコントローラ２１は、これに基づいてＡＦモータ制御回路１９を介してＡＦモータ２０を制御し、フォーカスレンズ群９ａを所定の合焦位置に移動させる。これにより焦点検出動作及び合焦動作が完了する。
【００４３】
なお、ＡＦモータ２０には、いわゆるステッピングモータ等が使用されており、ＡＦモータ制御回路１９による制御によってステップ駆動がなされるようになっている。したがって、フォーカスレンズ群９ａの位置は、ＡＦモータ２０のステップ駆動パルス数をシステムコントローラ２１が計数し、これに基づいた演算がなされることで求められる。
【００４４】
また、撮影レンズ系９の詳細な構成は図示していないが、その概略は、以下に示すような構成となっている。
フォーカスレンズ群９ａは、撮影レンズ系９の最後端部に設けられている、いわゆるインナーフォーカスタイプのものであり、他の撮影レンズ群等と共に、撮影レンズ光学系９を保持するレンズ筒内において、その光軸方向に移動し得るように配置されている。
【００４５】
このフォーカスレンズ群９ａの初期位置は、撮影レンズ系９内に配置されるフォトセンサ等の検出手段を用いて検出されるようになっている。そして、同レンズ群９ａの初期位置は、電源スイッチがオン状態となったときや、異常が生じた場合等の対策として、フォーカスレンズ群９ａの絶対位置の検出データ等としても用いられるようになっている。
【００４６】
次に、上記電子カメラ１の撮影レンズ系９の前面側にＭＣレンズ２が装着された場合の作用を、以下に説明する。
図２は、本電子カメラ１における撮影モード時の作用を示すフローチャートである。
【００４７】
本電子カメラ１は、上述したように電源スイッチ（図示せず）が操作されてオン状態になると撮影モードとなる。この状態において、システムコントローラ２１は、撮影レンズ系９にＭＣレンズ２が装着されているか否かの監視を行なっている（図２のステップＳ１）。
【００４８】
ステップＳ１において、撮影レンズ系９にＭＣレンズ２が装着されていると判断された場合には、ステップＳ２の処理に進み、このステップＳ２において、システムコントローラ２１は、撮影モード切換ＳＷ２３によって選択されている撮影モードに関わらず焦点検出動作時におけるフォーカスレンズ群９ａの移動範囲を、同レンズ群９ａが移動し得る全移動範囲で移動するように設定し、その後の撮影モードの動作が続行される（リターン）。
【００４９】
一方、上述のステップＳ１において、撮影レンズ系９にＭＣレンズ２が装着されていないと判断された場合には、ステップＳ３の処理に進む。このステップＳ３においては、撮影モード切換ＳＷ２３の状態を確認する。ここで、撮影モード切換ＳＷ２３によってマクロ撮影モードが設定されていると判断されると、次のステップＳ４の処理に進み、このステップＳ４において、焦点検出動作時におけるフォーカスレンズ群９ａの移動範囲を、マクロ撮影モードに対応する所定の移動範囲に設定し、その後の撮影モードの動作が続行される（リターン）。
【００５０】
また、上述のステップＳ３において、撮影モード切換ＳＷ２３により選択された撮影モードがマクロ撮影モードではないと判断された場合には、通常撮影モードに設定されていると判断される。したがって、ステップＳ５の処理に進み、このステップＳ５において、焦点検出動作時におけるフォーカスレンズ群９ａの移動範囲が、通常撮影モードに対応した所定の移動範囲で移動するように設定され、その後の撮影モードの動作が続行される（リターン）。
【００５１】
以上説明したように上記一実施形態によれば、マクロコンバージョンレンズ２を装着せずに撮影を行なう場合には、撮影者は、所望の被写体までの距離に応じて、通常撮影モードとマクロ撮影モードのいずれか一方の撮影モードを、撮影モード切換ＳＷ２３によって選択する。これによって電子カメラ１は、焦点検出動作を実行するとき、選択された撮影モードに応じた所定の移動範囲内においてのみフォーカスレンズ群９ａを移動するように制御されるので、合焦位置の検出動作に要する時間を短縮することができる。
【００５２】
そして、この電子カメラ１の撮影レンズ系９に対し、マクロコンバージョンレンズ２を装着すると、選択されている撮影モードに関わらず焦点検出動作時のフォーカスレンズ群９ａの移動範囲が、同レンズ群９ａが移動し得る全移動範囲となるように制御されるようにしている。
【００５３】
このような構成とすることにより、マクロコンバージョンレンズ２を装着して近接撮影（マクロ撮影）を行なう場合においては、撮影モードを気にすることなく撮影を実行することができ、よって良好な操作性を得ることができる。
【００５４】
また、マクロコンバージョンレンズ２の装着状態は、検知手段によって自動的に検出されるように構成すると共に、この検知手段によりマクロコンバージョンレンズ２が装着されていることを検知した場合には、自動的に焦点検出動作（ＡＦ動作）時及び合焦動作時におけるフォーカスレンズ群９ａの移動範囲を、その全移動範囲となるように制御しているので、撮影者の操作ミス等を防ぐことができると共に、より一層の操作性の向上に寄与することができる。
【００５５】
なお、上述したように本実施形態の電子カメラ１には、ＭＣレンズ２の装着状態を自動的に検知する検知手段を設け、この検知手段がＭＣレンズ２の装着を検知した場合には、システムコントローラ２１が、移動制御手段（ＡＦモータ制御回路１９等）を制御して、フォーカスレンズ群９ａの移動範囲を、同レンズ群９ａが移動し得る全移動範囲に設定するように制御している。
【００５６】
しかし、このような制御を行なうように構成しても、上記検知手段に対応する接点・抵抗等の構成部材等が設けられていないコンバージョンレンズを装着して使用する場合には、本電子カメラ１においても、その装着状態を自動的に検知することができないこととなる。
【００５７】
そこで、このような場合を考慮した電子カメラの変形例が考えられる。
即ち、この変形例の電子カメラとしては、撮影レンズ系９側に設けられるコンバージョンレンズの装着状態を検知する検知手段に対応していないコンバージョンレンズ（以下、非対応コンバージョンレンズという）を装着したときに、操作者が任意に操作することで、フォーカスレンズ群９ａの移動制御を変更し得る操作部材であるマクロスイッチを、さらに加えて設けるように構成すれば良い。
【００５８】
このように構成した電子カメラにおいて、撮影レンズ系９に対して、非対応コンバージョンレンズを装着した場合には、撮影者は、まずマクロＳＷを操作してこれをオン状態にする。すると、このマクロＳＷからの入力信号を受けて、システムコントローラ２１は、ＡＦモータ制御回路１９・ＡＦモータ２０を制御して、ＡＦ動作時及び合焦動作時におけるフォーカスレンズ群９ａの移動範囲を、全移動範囲で移動し得るように制御する。
これによって、撮影レンズ系９に対して非対応ＭＣレンズを装着した場合においても、支障なくマクロ領域の撮影を行なうことができるようになる。
【００５９】
なお、本電子カメラ１においては、画像信号を記録するための記録媒体として、着脱自在に配設されるメモリカード１６を適用するようにしているが、これに限らず、電子カメラ１の内部に固定した固定メモリ等を用いても良い。
【００６０】
また、ＭＣレンズ２等のコンバージョンレンズの装着部としては、コンバージョンレンズ専用の装着部を特別に設けることなく、撮影レンズ系９の先端部に通常設けられ、一般的なねじ込み式のフイルター等のアクセサリ類を装着するためにのネジ溝等を利用するようにしても良い。この場合には、ＭＣレンズ２側の被装着部も、一般的なアクセサリ類におけるねじ部等からなる被装着部と共通にすることができるので効率的である。
【００６１】
【発明の効果】
以上述べたように本発明によれば、マクロコンバージョンレンズを装着して使用する場合においても、操作性を損なうことなく簡単にマクロ領域における撮影動作を実行し得る電子カメラを提供することができる。
【図面の簡単な説明】
【図１】本発明の一実施形態の電子カメラの内部構成を示すブロック構成図。
【図２】図１の電子カメラにおいて、撮影モード時における作用を示すフローチャート。
【図３】従来の電子カメラ等における焦点検出動作時のフォーカスレンズ群の移動範囲と撮影距離（被写体距離）との関係を示す概念図。
【符号の説明】
１……電子カメラ
２……マクロコンバージョンレンズ（ＭＣレンズ）
２ｂ……抵抗
２ｃ……接点
８……イメージャ（撮像素子）
９……撮影レンズ系
９ａ……フォーカスレンズ群
９ｃ……固定接点（検知手段）
１８……合焦回路（焦点検出手段）
１９……ＡＦモータ制御回路（移動制御手段）
２０……ＡＦモータ
２１……システムコントローラ（制御手段）
２３……撮影モード切換ＳＷ（選択手段）
【図１】
0004015269.tif 000002
【図２】
0004015269.tif 000003
【図３】
0004015269.tif 000004